(57)【要約】      （修正有）【課題】１つの付箋に複数の表示手段を付与することが可能な付箋、その付箋ケース及び付箋ケース付きの筆記用具等を提供する。【解決手段】長方形などにしたシート２を主体にして、本、ノートなどの被貼付物に貼剥自在にして貼付される付箋１は、その少なくとも記録部４に対し色情報、文字・記号・模様情報、長さ情報、面積情報、光情報の少なくとも１つ或いはこれらの組み合わせが記録部４に記録されている。さらに、ミシン目９から切り離すことが可能な長さ変更手段を設けることもできる。これらにより多様な表示状態を視認させるような表示内容を提供することができる。【選択図】図１
0003207256.tif 000002
【実用新案登録請求の範囲】
【請求項１】
本やノートなどの被貼付物に貼剥自在に貼付される付箋において、
前記付箋の表面を幅方向に複数に区分し、区分された各領域に相互に異なる色、模様、文字若しくは記号又は面積の少なくとも１つ或いはこれらの組み合わせによる表示手段であって、前記被貼付物の縁部から突出させる長さに応じて多様な表示情報を視認させるように配置された表示手段を備えていることを特徴とする付箋。
【請求項２】
請求項１に記載の付箋において、
前記表示手段は、さらに、発光塗料又は蓄光塗料によって暗所でも認識可能とされていることを特徴とする付箋。
【請求項３】
請求項１又は２に記載の付箋において、
さらに、所定の部分から直線状又はランダムな形状に切断可能とされていることを特徴とする付箋。
【請求項４】
請求項１から３のいずれか１項に記載の付箋を収納するための付箋ケースにおいて、
積層された付箋を収容する収容部が形成されたケース本体と、
前記ケース本体を覆うカバー部材と、を備え、
前記ケース本体の一端側には係合ピンが設けられ、
前記カバー部材には前記係合ピンと係合する係合凹部が設けられると共に、上面には開口部が形成され、
方向が互い違いになるようにして複数枚を積層した前記付箋をケース本体内に収納した状態で、前記カバー部材の前記開口部から出現させた１枚を引き剥がすと、次の１枚が前記開口部から出現するように形成されていることを特徴とする付箋ケース。
【請求項５】
筆記用具に請求項４に記載の付箋ケースが取り付けられていることを特徴とする付箋ケース付き筆記用具。
【請求項６】
請求項４に記載の付箋ケースに止め具を取り付けてなることを特徴とする付箋ケース付きキーホルダー。
【考案の詳細な説明】
【技術分野】
【０００１】
本考案は、付箋、付箋ケース及び付箋ケース付き筆記用具等に関し、さらに詳しくは、書籍やノートなどの所定のページや箇所に見出しや目印を付すための付箋であって１枚で多彩な表示情報が盛り込まれた付箋、そのような付箋を収納する付箋ケース及び付箋ケース付き筆記用具等に関する。
【背景技術】
【０００２】
書籍やノートなどにおいて頻繁に開くページや大事な記載部分の目印や識別のために付箋（ふせん）が用いられている。一般に付箋は、長方形の小さな紙又はフィルムであって、その一端側の片面の一部に低粘着性の粘着剤が塗布されており所定の箇所への貼付と剥離が何度も行えるようになっている。また、付箋は筆記用具によるメモ書き等もできるようになっている。近年では各種の付箋が提供されており、例えば特許文献１では、付箋に複数のミシン目を入れ、このミシン目から分離することで不要になった部分を除去できるようにしたり、特許文献２では、接着層部分を残してメモ書き部分を切り取ることができるようにしてメモ書き部分の単独利用（他者への配布、メモ帳として保存等）を可能としたものが提案されている。
【０００３】
また、特許文献３では、本体の殆どを透明にして貼付済の付箋を剥がさずとも付箋で覆われている本や書類の文字を読めるようにしたり、特許文献４では、書類や本から外に出る部分に氏、名、愛称等を予め印刷しておき、付箋に強い印象を残せるようにしたり、特許文献５では、花柄模様を印刷してファッション性を高めたりすることも行われている。
【０００４】
さらに、特許文献６では、貼付側を角張らせてその先端を着色し、書類等の注目箇所を指示できるようにしたり、また、特許文献７では、長手方向を複数に区分して区分毎に異なる色又は番号を当てて複数枚の付箋を１つの書類（又は１つの本等）に用いた場合でも付箋箇所を分類し易くして利便性を高めることも行われている。
【０００５】
一方、特許文献８に示されるように、クリップに相当する部分に付箋を収納するシートディスペンサーを設けた筆記用具が提案されている。この筆記用具によれば、筆記用具と付箋を別々に持ち歩くことなく、筆記用具によるメモと併せて直ちに付箋を使用できるようになっている。
【先行技術文献】
【特許文献】
【０００６】
【特許文献１】実用新案登録第３１７５７１６号
【特許文献２】特開２０００−２１８９６１号公報
【特許文献３】実開平１−９７９６６号公報
【特許文献４】実用新案登録第３０６２５４９号
【特許文献５】特開平１１−３４２６９０号公報
【特許文献６】特開平８−２１６５５８号公報
【特許文献７】特開２００１−１８０１７１号公報
【特許文献８】特許第５５８４１２５号公報
【考案の概要】
【考案が解決しようとする課題】
【０００７】
上述したように、多様な付箋が提供されているものの、従来の付箋は、色や柄の異なる複数種類の付箋を１セットして提供されていることが多く、複数種類の中から異なる色や柄の付箋を適宜に選択して使用するものであり、例えば、複数の色の中から適宜の色の付箋を選別して使用することで使用者がその色や柄に固有の意味内容を持たせることで、さまざまな目印とすることが可能となっていた。しかしながら、例えば、特許文献８に示すような筆記用具に収納される付箋の場合は当然ながら１種類の付箋しか収納できない。そのため、異なる意味の目印として使用したい場合であっても対応できないという問題がある。
【０００８】
このような問題が生じるのは、従来の付箋はファッション性には優れるものの付箋に表示された各種の情報、例えば、色、文字、図形、記号等の情報、すなわち、「表示情報」についての考慮があまりなされていないためであると考えられる。例えば、上述の特許文献６では標記が２種類以上とされているが、標記内容は絵文字及びアルファベットで同じ意味を持っている。つまり、表示情報は１つということになる。また、特許文献６のネーム類表示部は記述内容が氏、名、愛称等の１種であり、特許文献７の色分けや数字分けも表示情報は１つである。
【０００９】
そこで、本考案は、かかる問題点に鑑みなされたもので、１種類の付箋であっても多様な表示情報を視認させることが可能な付箋、そのような付箋を収納するための付箋ケース及び付箋ケース付きの筆記用具さらには付箋ケース付きキーホルダーを提供することを目的とする。
【課題を解決するための手段】
【００１０】
上記課題を解決するために請求項１に記載の考案は、本やノートなどの被貼付物に貼剥自在に貼付される付箋において、前記付箋の表面を幅方向に複数に区分し、区分された各領域に相互に異なる色、模様、文字若しくは記号又は面積の少なくとも１つ或いはこれらの組み合わせによる表示手段であって、前記被貼付物の縁部から突出させる長さに応じて多様な表示情報を視認させるように配置された表示手段を備えていることを特徴とする。
【００１１】
上記課題を解決するために請求項２に記載の本考案は、請求項１に記載の付箋において、表示手段は、さらに、発光塗料又は蓄光塗料によって暗所でも認識可能とされていることを特徴とする。
【００１２】
上記課題を解決するために請求項３に記載の本考案は、請求項１又は２に記載の付箋において、さらに、所定の部分から直線状又はランダムな形状に切断可能とされていることを特徴とする。
【００１３】
上記課題を解決するために請求項４に記載の本考案は、請求項１から３のいずれか１項に記載の付箋において、前記付箋は、方向が互い違いになるようにして複数枚が積層して形成され、上面にスリット状の開口部を備えた付箋ケース内に収納された状態で、前記付箋ケースの前記開口部から出現させた１枚を引き剥がすと、次の１枚が前記開口部から出現するように形成されていることを特徴とする。
【００１４】
上記課題を解決するために請求項５に記載の本考案は、筆記用具に請求項４に記載の付箋ケースが取り付けられていることを特徴とする付箋ケース付き筆記用具を提供する。
【００１５】
上記課題を解決するために請求項６に記載の本考案は、請求項４に記載の付箋ケースに止め具を取り付けてなることを特徴とする付箋ケース付きキーホルダーを提供する。
【考案の効果】
【００１６】
本考案に係る付箋によれば、付箋の表面に色、模様、文字若しくは記号又は面積の少なくとも１つ或いはこれらの組み合わせが被貼付物の縁部から突出させる長さに応じて多様な表示状態を視認させるように配置された表示手段を設けたので１枚の付箋でありながら被貼付物の縁部から突出させる長さに応じて多様な表示状態を視認させることができるという効果がある。また、本考案に係る付箋ケースによれば、１種類の付箋しか収納できない場合であってもその付箋ケースに１種類の付箋で多様な表示状態を視認させる表示手段を備えた上記付箋を収納することによって別途多種類の付箋を準備することなく多様な表示状態を視認させることができるという効果がある。また、付箋ケースを筆記用具に取り付け、また付箋ケースをキーホルダーとしたので付箋ケースの持ち運びも容易となり、付箋を使用したいときに直ちに使用することができるという効果がある。
【図面の簡単な説明】
【００１７】
【図１】本考案に係る付箋の好ましい一実施形態を示す正面図である。
【図２】図１に示す表示部に表示する表示手段の構成例を示す正面図である。
【図３】複数の表示手段を組み合わせた付箋の構成例を示す正面図である。
【図４】長さ変更手段を説明する図である。
【図５】付箋ケースの構成を示す斜視図である。
【図６】付箋ケースの内部の構成を示す斜視図である。
【図７】付箋ケースへ収納されるケース用付箋の構成を示す斜視図である。
【図８】（ａ）は本考案に係る付箋ケース付き筆記用具の一実施形態を示す側面図、（ｂ）はその平面図である。
【図９】本考案に係る付箋ケース付きキーホルダーの一実施形態を示す斜視図である。
【考案を実施するための形態】
【００１８】
以下、本考案に係る付箋及び付箋ケース付き筆記用具等について、好ましい一実施形態に基づいて詳細に説明する。初めに本考案に係る付箋について説明する。図１は本考案に係る付箋の好ましい一実施形態を示す正面図である。図示された付箋１は、概略として、樹脂フィルムを長方形状に形成したシート２によって形成され、シート２の片面（裏面）の一端側の所定範囲には貼剥自在な低粘着剤が塗布された粘着層３が設けられている。そして、シート２の表面の全域あるいは粘着層３側とは反対側のシート２の幅方向に沿って３つに区分された領域にそれぞれ別々の表示手段（詳細については後述する）が表示された表示部４が設けられている。また、表示部４にはミシン目９による長さ変更手段（詳細については後述する）を設けることもできる。尚、シート２を形成する樹脂フィルムは透明、半透明、着色等が容易で耐久性に優れるポリエステル、ポリオレフィン、ポリカーボネート、ポリ塩化ビニールや樹脂含浸紙等を用いることができる。もちろん、樹脂フィルムに代えて普通紙シート、可撓性を有する金属の薄膜シート等を用いることもできる。
【００１９】
表示部４を構成する各領域には、例えば、以下の５種類の表示手段の中の１つ又は複数を表示することができる。
（１）色情報
（２）文字・記号・模様情報
（３）長さ情報
（４）面積（または形）情報
（５）模様情報
（６）光情報
【００２０】
さらに、上記５種類の表示手段に加え、長さを変更する長さ変更手段を加えることもできる。この長さ変更手段は、上記長さ情報における色区分の境界にミシン目９を設け、不要な部分を除去できるようにしたものである。この詳細については後述する。
【００２１】
［色情報］
上記（１）の色情報は、図２（ａ）に示すように、表示部４をシート２の幅方向に複数に区分し、区分された各領域に相互に異なる色（ここでは３色）を配色することにより色情報５として表示されている。色は適宜の色を採用することができ、特に限定されるものではない。また、色情報５には、異なる色の組み合わせの他、区分された各領域に付される色の濃度を段階的に異ならせたグラデーションとしたものも含まれる。区分する領域の数についても３つに限定されるものではなく、適宜の数を設けることができる。
【００２２】
［文字・記号・模様情報］
上記（２）の文字・記号・模様情報は、図２（ｂ）に示すように、数字、アルファベット、カタカナ、ギリシャ文字等の１又は複数からなる文字や文、アスタリスクや演算記号等の各種の記号、あるいは星マークやハートマークといった簡単な模様を文字・記号・模様情報６として表示させることができる。各領域毎に描く文字等を異なるものとすることができる。
【００２３】
［長さ情報］
上記（３）の長さ情報は、図２（ｃ），（ｄ）に示すように、上述の（１）の色情報５に加えて各領域における長手方向の長さを異ならせることにより長さ情報７として表示させることができる。図２（ｃ）は一番先端側の領域の長さが他の領域の長さよりも長くなっており、同（ｄ）は中央の領域の長さが他の領域の長さよりも長くなっている。尚、これらの場合、各領域に付される色情報５は単一色であっても複数色であってもよい。
【００２４】
［面積情報］
上記（４）の面積情報は、図２（ｅ）に示すように、表示部４の先端部の形を例えば三角形に形成し、被貼付物の縁部から突出させる長さに応じてその面積を変化させることにより面積情報８として表示させることができる。そして、面積情報８を形成する部分をさらに複数に区分し、区分された各領域に上記色情報５や文字・記号・模様情報６を加えることも可能である。尚、面積情報は形状情報ともいえる。
【００２５】
次に、上記５種類の表示手段５〜８の内の複数を組み合わせた付箋１について説明する。かかる組み合わせは多数になるのでここでは代表的なもののみを例示する。図３（ａ）〜（ｅ）はそれぞれ付箋１の構成例を示す正面図である。初めに、図３（ａ）に示す付箋１は、図２（ａ）に示した各領域を３色に色分けした色情報５と、図２（ｂ）に示した文字・記号・模様情報６とをそれぞれ組み合わせた例である。ここでは、区分された領域毎にそれぞれ１つ，２つ，３つの丸印が描かれている。また、図３（ｂ）に示す付箋１は、図２（ｃ）に示した領域毎に区分した長さ情報７と、図２（ｂ）に示した文字・記号・模様情報６（ここでは、相互に異なる色の丸印）とを組み合わせた例である。尚、本実施形態では各領域は均等の長さに区分されている。次に、図３（ｃ）に示す付箋１は、図２（ａ）に示した各領域を３色に色分けした色情報５と、図２（ｃ）に示した長さ情報７と、さらに３つの三日月の模様である文字・記号・模様情報６とを組み合わせた例である。また、図３（ｄ）に示す付箋１は、図２（ｄ）に示した不均等に分割した３つの領域による長さ情報７と、図２（ａ）の色情報５を組み合わせた例である。さらに、図３（ｅ）に示す付箋１は、図２（ａ）に示した色情報５と、図２（ｅ）に示した三角形状としての面積情報８を組み合わせた例である。このように、１枚の付箋１に複数の表示手段を表示することで使用者に多くの情報を視認させることが可能となる。
【００２６】
次に、光情報を用いた付箋について説明する。光情報は図２（ｆ）に示すように、表示部４の一部又は全域に蛍光・蓄光塗料１３を塗布し、或いはホログラム（hologram）を記録することによって形成することができる。尚、光情報を設けるのみでもよいが、上記５種類の表示手段と組み合わせることによってさらに情報量を増やすことができる。
【００２７】
次に、長さ変更手段について説明する。長さ変更手段は、図４（ａ），（ｂ）に示すように、区分した各領域の境界にミシン目９を設け、このミシン目９に沿って付箋１をカットすることにより、表示手段５〜８の視認状態を変更できるようにしたものである。図４（ａ）に示す付箋１は、ミシン目９をシート２の幅方向に沿って直線状に設けたもので、切取部９１をミシン目９から切り取るとシート２から切取部９１を分離することができる（図４（ａ）の右図参照）。これにより、例えば、切取部９１を切り取る前の先端の色と切取部９１を切り取った後の先端の色を変更することができる。
【００２８】
図４（ｂ）に示す付箋１は、ミシン目９をランダムな形状、例えば波形状にして２カ所に入れ、切取部６ａ，６ｂを形成したものである。切取部６ａをミシン目９から切り取ることにより、図４（ｂ）の右図のように切取部９１を切取部９２から切り離すことができる。このようにミシン目９を直線にしないことによって視認性やデザイン性を高めることができる。もちろん、ミシン目９は２箇所に限らずもっと多く設けることもできる。尚、ミシン目９は表示部４のほか粘着層３の塗布領域以外の部分にも設けることができる。また、ミシン目９は波形に代えて鋸歯状等の適宜の形状にすることができる。
【００２９】
このように、本考案に係る付箋１によれば、色情報、文字・記号・模様情報、長さ情報、面積（または形）情報及び光情報の中から１つ或いはこれらの組み合わせによる情報を表示部４に表示できることにより、１種類の付箋で使用者に多様な表示状態を視認させることができる。
【００３０】
また、表示部４の一部または全域に発光塗料又は蓄光塗料を塗布することにより、暗がり等でも付箋の装着の有無や被装着物（本、ノート、書類等）の存在を認知させることができる。
【００３１】
また、表示部４に少なくとも１つのミシン目９を直線状又はランダムに入れてシート２から切取部６（又は切取部６ａ，６ｂ）を切り取り可能にしたことにより、不要部分を除去して見易くしたり、デザインを変化させることができる。
【００３２】
［付箋ケース］
次に、付箋ケースについて説明する。図５は付箋ケースの構成を示す斜視図、図６は付箋ケースの内部の構成を示す斜視図である。図示された付箋ケース１０は、ケース本体１１とカバー部材１２とを備えて形成されている。ケース本体１１は、その内部に付箋１を収容するための収容部を備えており、カバー部材１２を被せるようにして取り付けることで付箋ケース１０が形成される。この付箋ケース１０には多数枚が積層された上述の付箋１が収納される。ケース本体１１及びカバー部材１２は好ましくは合成樹脂材料によって形成されるが、材料はこれに限定されるものではない。尚、ケース本体１１及びカバー部材１２を透明とすれば内部の確認に好適である。
【００３３】
ケース本体１１は、図６（ａ）に示すように、平面矩形状に取り囲む側板１１ａを有し、側板１１ａの一端にカバー部材１２に係合し、且つ、筆記用具本体２０に取り付ける際に用いられる係合部１１ｂを備えている。一方、カバー部材１２は、図６（ｂ）に示すように、ケース本体１１の側板１１ａ及び係合部１１ｂに嵌合する側板１２ａ及び膨出部１２ｂを備え、さらに平板状の天板１２ｃを有している。カバー部材１２は、ケース本体１１に対して嵌合される構造となっているため、ドライバ等の工具を用いることなく手で簡単に着脱することができる。そして、天板１２ｃの中央付近には、ケース本体１１内に収容されている積層された付箋１の最上面の付箋１ａを引き出すための四角形又は長方形の開口部１２ｄが設けられている。尚、図示された係合部１１ｂには底板１１ｃの面に対して直交する方向に突出するようにして取付ピン１１ｄが設けられているが、この取付けピン１１ｄは後述する筆記用具本体２０に設けられた図示しない嵌合孔に嵌着することにより付箋ケース１０を筆記用具２０に固定するために利用される。そのため、付箋ケース１０単体で使用する場合には特に設ける必要はない。
【００３４】
また、ケース本体１１は、側板１１ａで囲まれた平板状の底板１１ｃを有し、係合部１１ｂには取付ピン１１ｄとは反対方向に突設するようにして略円柱状の係合ピン１１ｆが配置されている。この係合ピン１１ｆが後述するカバー部材１２の係合凹部１２ｇと係合することによりケース本体１１にカバー部材１２が着脱自在に取り付けられる。また、ケース本体１１の係合ピン１１ｆが設けられた側とは反対側の端部底面に係合孔１１ｇが穿設されており、後述するカバー部材１２に設けられた係合突起１２ｅと係合するようになっている。
【００３５】
ケース本体１１の長手方向に伸びる側板１１ａの上縁１１ｈは側面視において非直線状に形成されている。そして、上縁１１ｈは係合部１１ｂ側が低く、その反対側が高くなるように形成されており、上縁１１ｈはその途中でなだらかに傾斜している。ケース本体１１の長手方向に伸びる側板１１ａの上縁１１ｈをこのように非直線形状に形成したことでケース本体１１が適度に撓みやすくなる。また、カバー部材１２の側面の面積を広く形成することができるので使用者はカバー部材１２を把持し易くなる。一方、ケース本体１１は、係合部１１ｂ側の底板１１ｃの厚みを係合部１１ｂとは反対側（後述する係合孔１１ｇ側）よりも厚く形成されており、これによってもケース本体１１に適度な可撓性が付与されている。
【００３６】
カバー部材１２は、ケース本体１１の内部に積層された付箋１を収容した状態でケース本体１１の上部に取り付けることで付箋１を一枚ずつ引き出し可能に閉塞する。カバー部材１２は、天板１２ｃの中央付近には開口部１２ｄが設けられており、ケース本体１１内に収容されている積層された付箋（図７参照）の最上面１ａを引き出せるようになっている。また、カバー部材１２の一端側にはケース本体１１に形成され係合ピン１１ｆと係合する係合凹部１２ｇが設けられている。係合凹部１２ｇは上部が開口された円筒を直径方向に半割にした形状とされ、係合凹部１２ｇに挿入されたケース本体１１の係合ピン１１ｆと係合してこれを弾性的に保持し、これによりケース本体１１にカバー部材１２が着脱自在に取り付けられる。さらに、係合凹部１２ｇが設けられた側とは反対側の側板１２ａにはケース本体１１に設けられた係合孔１１ｇと係合する係合突起１２ｅが設けられており、係合突起１２ｅが係合孔１１ｇに係合するようになっている。
【００３７】
カバー部材１２にはケース本体１１の側板１１ａの上縁１１ｈと当接する鍔部１２ｆが形成されている。鍔部１２ｆは、図６（ｂ）に示すように、天板１２ｃの上面の長手方向縁部を側板１２ａよりも僅かに外側に張り出すようにすることによって形成されている。そして、側板１２ａは、カバー部材１２をケース本体１１に取り付けた状態において、ケース本体１１の側板１１ａの上縁１１ｈよりも下側に至る長さに形成されており、ケース本体１１が撓んだ場合でもケース本体１１とカバー部材１２との間に隙間が生じないようになっている。これにより、カバー部材１２をケース本体１１に取り付けた場合、カバー部材１２の鍔部１２ｆがケース本体１１の上縁１１ｈに当接してしっかりと支持される。
【００３８】
ここで、付箋ケースへ収納される付箋について説明する。図７は付箋ケースへ収納されるケース用付箋の構成を示す斜視図である。尚、図７では積層されたケース用付箋１００のうち、上部の３枚を持ち上げた状態を示している。ケース用付箋１００は高さ方向に上述した付箋１を多数枚積載して形成されており、各々の付箋１，１は例えば全長の約２／３の裏面（図７では下面）が粘着剤を塗布した粘着層３とされ、他の約１／３が粘着剤の塗布されない非粘着層２２となっている。この場合の表示部４は粘着層３が塗布されていない表面側であり、この面はボールペン等により記入が行えるように樹脂フィルムに対して粗面加工が施されており、図２及び図３に示したように上述した各種の情報を記録することができる。
【００３９】
ケース用付箋１００は、上面の１枚の粘着層３にその下側の付箋１（＝２枚目の付箋）の非粘着層２２が位置し、２枚目の付箋１の粘着層３に３枚目の非粘着層２２が位置するようにはいちされており、粘着層３と非粘着層２２が左右で交互に配置されている。尚、非粘着層２２に青、ピンク等の着色を施しておくことで、使用者は非粘着層２２の部分を黙視で識別できるようになる。また、非粘着層２２を除く他の部分を透明又は半透明とすることにより、付箋１を書類、書籍等に貼付した状態でも貼付面の文字を見ることができる。そして、付箋ケース１０内には所定枚数の付箋１が積層した状態で収納されている。ケース用付箋１００は最初の１枚を開口部１２ｄから使用者が指先で摘める長さを引き出しておき、その１枚を引き出すと、この引き出し操作に連動して２枚目が同じ長さだけ引き出される。
【００４０】
付箋ケース１０内に収納されたケース用付箋１００は、最上面の付箋１ａが図５に示すように開口部１２ｄから非粘着層２２の先端側が露出する状態で引き出されている。そして、使用者が付箋１ａをつまんで図７の矢印Ａ方向に引き剥がすと、２枚目の付箋１の非粘着層２２部分が矢印Ｂ方向に移動しつつ開口部１２ｄから露出する。
【００４１】
付箋ケース１０内のケース用付箋１００を使い切った場合には、ケース本体１１からカバー部材１２を取り外し、ケース本体１１内の所定の場所に新しいケース用付箋１００を収納し、最上面の１枚のケース用付箋１００の先端の所定長を開口部１２ｄから引き出した状態でケース本体１１にカバー部材１２を被せれば、ケース用付箋１００の装填が完了する。
【００４２】
［付箋ケース付き筆記用具］
次に、付箋ケース付き筆記用具について説明する。図８（ａ）は本考案に係る付箋ケース付き筆記用具の一実施形態を示す側面図、（ｂ）はその平面図である。図示された付箋ケース付き筆記用具２０は、概略として、筆記用具本体２１に上述した付箋ケース１０を取り付けて形成されている、筆記用具本体２１としては、例えばノック式で色の異なる２本のペン軸２１ａ，２１ａ及びノック部２１ｂを備えた２色ボールペンであり、この筆記用具本体２１のノック部２１ｂの近傍に設けられた付箋ケース１０が取り付けられて構成されている。尚、筆記用具本体２１を２色ボールペンとしたが、単色や３色以上のボールペンでもあってもよい。また、筆記用具本体２１は２色ボールペンとしたが、他の筆記具、例えばシャープペンシル、万年筆、蛍光マーカ、サインペン、鉛筆等であってもよい。
【００４３】
付箋ケース１０が取り付けられる部分の筆記用具本体２１の側面は平面状に形成されている。また、図示された筆記用具本体２１では付箋ケース１０が取り付けられた面と反対側の筆記用具本体２１の面も平面状に形成されており、付箋ケース１０をどちらの平面側にも取り付けることができるようになっている。また、付箋ケース１０は一方側の平面のみではなく両方の平面に取り付けることもできる。もちろん、これに限らず付箋ケース１０を取り付けない側の面は円筒形状に形成してもよく、筆記用具本体２１を円筒形状にすると共に、付箋ケース１０の底板１１ｃを筆記用具本体２１に合わせて円弧状にすることもできる。
【００４４】
付箋ケース１０は、略三角柱形状とされた上述の取付ピン１１ｄを筆記用具本体２１に設けられた図示しない略三角形状とされた嵌合孔に嵌合固定することにより筆記用具本体２１に取り付けられており、これによりケース本体１１は筆記用具本体２１にしっかりと固定される。この場合、取付ピン１１ｄを嵌め殺しとして取り外しができないようにしてもよい。そして、ケース本体１１が取付ピン１１ｄを支点として撓んだ場合であっても取付ピン１１ｄから離れた撓みの度合いの大きい部分は鍔部１２ｆに続く側板１２ａによって隙間が生じるのを防止できる。ここで、取付ピン１１ｄを略三角柱形状に形成したのは筆記用具本体２１に設けられた図示しない嵌合孔を中心に取付ピン１１ｄが回転することを防止するためである。また、このような取付ピン１１ｄの形状により、ケース本体１１は取付ピン１１ｄを支点としてバネ性を有することになる。尚、ケース本体１１の底板１１ｃには筆記用具本体２１の表面と接する凸部１１ｅが設けられている。また、係合突起１２ｅを係合孔１１ｇに係合させた状態で係合突起１２ｅの先端が筆記用具本体２１の表面に当接するように形成することもできる。
【００４５】
本実施形態に係る付箋ケース付き筆記用具によれば、１種類の付箋で多様な表示状態を視認させることができる付箋を筆記用具２０に設けられた付箋ケース１０に収納されているので１種類の付箋であっても多様な使用者に多様な表示状態を視認させることができ、別途多数の付箋を用意する必要がない。
【００４６】
［付箋ケース付きキーホルダー］
次に、付箋ケース付きキーホルダーについて説明する。図９は本考案に係る付箋ケース付きキーホルダーの一実施形態を示す斜視図である。図示された付箋ケース付きキーホルダー５０は、上述した付箋ケース１０の係合部１１ｂ及び膨出部１２ｂの部分に開口孔５５が穿設され、この開口孔５５にリング部材５１が取り付けられていると共に、リング部材５１にさらに止め具５２が取り付けられて形成されている。止め具５２は略輪環状に形成されており、その一部である揺動部５２ａを揺動させることでリングを開口可能に形成されている。揺動部５２ａは図示しない弾性部材によってリングを閉口するように付勢されており、例えば鍵などをリングに取り付ける場合には揺動部５２ａを押圧して開口を形成し、その開口から止め具５２に取り付ける。その後手を離せば揺動部５２ａが閉口し鍵は外れることはない。
【００４７】
尚、上述した付箋ケース１０のケース本体１１の側板１１ａの上縁１１ｈは側面視において係合部１１ｂ側が低く、その反対側が高く、その途中はなだらかに傾斜して形成されているのに対し、本実施形態における付箋ケース付きキーホルダー５０を構成する付箋ケース１０ではケース本体１１の側板１１ａの上縁１１ｈは中央部分が高く、両端側が低くなるにように形成されており、カバー部材１２はその形状に対応した形状とされている。
【００４８】
本実施形態に係る付箋ケース付きーホルダーによれば、止め具５２によって例えばバッグ内の所定箇所やズボンのベルト、その他適当なものに取り付けることにより、持ち運びが容易となり、どこでもケース用付箋１００を使用することができる。
【００４９】
［他の実施の形態］
なお、本考案は、上記実施形態に限定されず、本考案の技術思想を逸脱あるいは変更しない範囲内で種々な変形が可能である。例えば、付箋１は長方形としたが四角形、楕円型等でもよい。
【符号の説明】
【００５０】
１      付箋
１ａ      最上面の付箋
２      シート
２ａ      表示部
３      粘着層
４      表示部
５      色情報
６      文字・記号・模様情報
７      長さ情報
８      面積情報
９      ミシン目
１０      付箋ケース
１１      ケース本体
１１ａ    側板
１１ｂ    係合部
１１ｅ    底板
１１ｆ    取付ピン
１１ｇ    凸部
１１ｉ    係合孔
１１ｊ    上縁
１２      カバー部材
１２ａ    側板
１２ｂ    膨出部
１２ｃ    天板
１２ｄ    開口部
１２ｆ    鍔部
１２ｇ    係合凹部
１２ｈ    係合部
１２ｊ    上縁
１３      蛍光・蓄光塗料
１５      光情報
２０      筆記用具
２１      筆記用具本体
２１ａ    ペン軸
２１ｂ    ノック部
２２      非粘着部
９１      切取部
９２      切取部
１００    ケース用付箋
【図１】
0003207256.tif 000003
【図２】
0003207256.tif 000004
【図３】
0003207256.tif 000005
【図４】
0003207256.tif 000006
【図５】
0003207256.tif 000007
【図６】
0003207256.tif 000008
【図７】
0003207256.tif 000009
【図８】
0003207256.tif 000010
【図９】
0003207256.tif 000011